(57)【要約】      （修正有）【課題】折板屋根の台形部分の下側に空気の流れを作ることができ、かつ、雨水や雪、霧状の水分が入り込みにくい屋根構造を提供する【解決手段】屋根構造１は、２つの斜面１１４，１１６と上面１１２とからなり、断面が略台形状で所定の長さを有する台形体１１０を、複数並置して構成した折板屋根１００と、２つの斜面と上面とからなり、断面が略台形状で、台形体との間に間隙を設けた状態で上方から覆うように設置される換気カバー２００と、を備え、折板屋根は、少なくとも１個以上の台形体において、その斜面に開口部１２０，１２２を設ける一方、換気カバーの斜面にルーバー２２０，２２２を設け、折板屋根の台形体の開口部と、換気カバーのルーバーが、異なる位置に設けられている。【選択図】図１
0003184241.tif 000002
【実用新案登録請求の範囲】
【請求項１】
２つの斜面と上面とからなり、断面が略台形状で所定の長さを有する台形体を、複数並置して構成した折板屋根と、
２つの斜面と上面とからなり、断面が略台形状で、前記台形体との間に間隙を設けた状態で上方から覆うように設置される換気カバーと、を備え、
前記折板屋根は、少なくとも１個以上の前記台形体において、その斜面に開口部を設ける一方、前記換気カバーの斜面にルーバーを設け、
前記折板屋根の台形体の開口部と、前記換気カバーのルーバーが、異なる位置に設けられていることを特徴とする屋根構造。
【請求項２】
前記開口部は、前記台形体の少なくとも一方の斜面に所定の間隔で複数個設けられ、前記ルーバーは、前記開口部が形成された斜面に対向する前記換気カバーの斜面における、前記折板屋根の各開口部の位置と異なる位置に設けられていることを特徴とする請求項１に記載の屋根構造。
【請求項３】
前記開口部は、前記台形体の２つの斜面に、１つまたは複数個を一組として千鳥状に設けられ、前記ルーバーは、前記換気カバーの２つの斜面に、１つまたは複数個を一組として、前記開口部と交互に千鳥状に設けられていることを特徴とする請求項１に記載の屋根構造。
【請求項４】
前記換気カバーは、各々の斜面の底辺に前記台形体との接合部が形成され、前記接合部は、前記台形体の各々の斜面に略直角に接合され、前記接合部の底辺は、前記台形体の斜面の底辺から所定の距離を有する、ことを特徴とする請求項１乃至３のいずれか１項に記載の屋根構造。
【請求項５】
前記台形体の上面には吊子材が突出しており、前記吊子材を挟み、上部が前記換気カバーの上面の下側に接するように形成された中間部材を有することを特徴とする請求項１乃至４のいずれか１項に記載の屋根構造。
【請求項６】
前記台形体の上面には吊子材が突出しており、前記吊子材を挟み、上部が前記換気カバーの上面の下側に接するように形成された中間部材を有し、前記換気カバーの上面の上側にソーラーパネルを取り付けるためのレールが取り付けられていることを特徴とする請求項１乃至４のいずれか１項に記載の屋根構造。
【請求項７】
第１の斜面と第２の斜面と第１の上面とからなり、断面が略台形状で所定の長さを有する台形体を、複数並置して構成した折板屋根と、
前記第１の斜面と対向する第３の斜面と、前記第２の斜面と対向する第４の斜面と、前記第１の上面と対向する第２の上面とからなり、断面が略台形状で、前記台形体との間に間隙を設けた状態で上方から覆うように設置される換気カバーと、を備え、
前記折板屋根は、少なくとも１個以上の前記台形体において、前記第１の斜面に第１の開口部または前記第２の斜面に第２の開口部が設けられ、
前記換気カバーは、前記第１の開口部または前記第２の開口部が設けられた前記台形体に配置され、前記第１の斜面に前記第１の開口部が有る場合に、前記第１の開口部の位置とは異なる前記第３の斜面の位置に第１のルーバーを設け、前記第２の斜面に前記第２の開口部が有る場合に、前記第２の開口部の位置とは異なる前記第４の斜面の位置に第２のルーバーを設けたことを特徴とする屋根構造。
【請求項８】
前記第１の開口部または前記第２の開口部は、少なくとも、前記第１の斜面または前記第２の斜面の一方に所定の間隔で複数個設けられ、前記第１のルーバーは、前記第１の斜面に前記第１の開口部が有る場合に、前記第１の開口部の位置とは異なる位置となるように、前記第３の斜面に複数個設けられ、前記第２のルーバーは、前記第２の斜面に前記第２の開口部が有る場合に、前記第２の開口部の位置とは異なる位置となるように、前記第４の斜面に複数個設けられていることを特徴とする請求項７に記載の屋根構造。
【請求項９】
前記第１の開口部と前記第２の開口部とは、前記第１の斜面と前記第２の斜面とに所定の個数毎に千鳥状に設けられ、前記第１のルーバーと前記第２のルーバーとは、前記第３の斜面と前記第４の斜面とに所定の個数毎に、前記第１の開口部及び前記第２の開口部の位置とは異なる位置となるように交互に千鳥状に設けられていることを特徴とする請求項７に記載の屋根構造。
【請求項１０】
前記換気カバーは、前記第１の斜面と前記第３の斜面とを接合する第１の接合部と、前記第２の斜面と前記第４の斜面とを接合する第２の接合部とを有し、
前記第１の接合部は、前記第１の斜面に略直角に接合され、
前記第２の接合部は、前記第２の斜面に略直角に接合され、
前記第１の接合部の底辺は、前記第１の斜面の底辺から所定の距離を有し、
前記第２の接合部の底辺は、前記第２の斜面の底辺から所定の距離を有する、ことを特徴とする請求項７乃至９のいずれか１項に記載の屋根構造。
【請求項１１】
前記第１の上面には吊子材が突出しており、前記吊子材を挟み、上部が前記第２の上面の下側に接するように形成された中間部材を有する、ことを特徴とする請求項７乃至１０のいずれか１項に記載の屋根構造。
【請求項１２】
前記第１の上面には吊子材が突出しており、前記吊子材を挟み、上部が前記第２の上面の下側に接するように形成された中間部材を有し、
前記第２の上面の上側にソーラーパネルを取り付けるためのレールが取り付けられている、ことを特徴とする請求項７乃至１０のいずれか１項に屋根構造。
【考案の詳細な説明】
【技術分野】
【０００１】
本考案は、屋根構造に関し、特に、折板屋根に換気を施す屋根構造に関するものである。
【背景技術】
【０００２】
従来の台形部分が繰り返し形成された折板屋根は、台形部分の下側では空気の流れが少なく、結露によるカビ・シミ等の原因となる多湿な空気がこもり易いという問題がある。
【０００３】
この問題を解決するために、例えば、特許文献１に示すように、折板屋根の台形部分の上面部に換気孔を形成し、これら換気孔を被うように通気孔を備えた略台形状のカバーを取り付ける機構が開示されている。
【先行技術文献】
【特許文献】
【０００４】
【特許文献１】特開２０００−８０７７２号公報
【考案の概要】
【考案が解決しようとする課題】
【０００５】
しかしながら、従来の機構では、雨水を伴う横風がカバーに当たった場合において、通気孔から雨水が入り込むと、通気孔の近くに換気孔があることから、換気孔から雨水が折板屋根の下側に入り込んでしまうという問題がある。
【０００６】
本考案は、上述した従来技術の問題点を解決するためになされたものであり、その目的は、折板屋根の台形部分の下側に空気の流れを作ることができ、かつ、雨水や雪、霧状の水分が入り込みにくい屋根構造を提供することにある。
【課題を解決するための手段】
【０００７】
本考案に係る屋根構造は、２つの斜面と上面とからなり、断面が略台形状で所定の長さを有する台形体を、複数並置して構成した折板屋根と、２つの斜面と上面とからなり、断面が略台形状で、前記台形体との間に間隙を設けた状態で上方から覆うように設置される換気カバーと、を備え、前記折板屋根は、少なくとも１個以上の前記台形体において、その斜面に開口部を設ける一方、前記換気カバーの斜面にルーバーを設け、前記折板屋根の台形体の開口部と、前記換気カバーのルーバーが、異なる位置に設けられていることで、上述した課題を解決した。
【０００８】
また、前記開口部は、前記台形体の少なくとも一方の斜面に所定の間隔で複数個設けられ、前記ルーバーは、前記開口部が形成された斜面に対向する前記換気カバーの斜面における、前記折板屋根の各開口部の位置と異なる位置に設けられていることで、同じく上述した課題を解決した。
【０００９】
更に、前記開口部は、前記台形体の２つの斜面に、１つまたは複数個を一組として千鳥状に設けられ、前記ルーバーは、前記換気カバーの２つの斜面に、１つまたは複数個を一組として、前記開口部と交互に千鳥状に設けられていることで、同じく上述した課題を解決した。
【００１０】
また、前記換気カバーは、各々の斜面の底辺に前記台形体との接合部が形成され、前記接合部は、前記台形体の各々の斜面に略直角に接合され、前記接合部の底辺は、前記台形体の斜面の底辺から所定の距離を有する、ことで、同じく上述した課題を解決した。
【００１１】
この他、前記台形体の上面には吊子材が突出しており、前記吊子材を挟み、上部が前記換気カバーの上面の下側に接するように形成された中間部材を有することで、同じく上述した課題を解決した。
【００１２】
また、前記台形体の上面には吊子材が突出しており、前記吊子材を挟み、上部が前記換気カバーの上面の下側に接するように形成された中間部材を有し、前記換気カバーの上面の上側にソーラーパネルを取り付けるためのレールが取り付けられていることで、同じく上述した課題を解決した。
【００１３】
一方、本考案に係る屋根構造は、第１の斜面と第２の斜面と第１の上面とからなり、断面が略台形状で所定の長さを有する台形体を、複数並置して構成した折板屋根と、前記第１の斜面と対向する第３の斜面と、前記第２の斜面と対向する第４の斜面と、前記第１の上面と対向する第２の上面とからなり、断面が略台形状で、前記台形体との間に間隙を設けた状態で上方から覆うように設置される換気カバーと、を備え、前記折板屋根は、少なくとも１個以上の前記台形体において、前記第１の斜面に第１の開口部または前記第２の斜面に第２の開口部が設けられ、前記換気カバーは、前記第１の開口部または前記第２の開口部が設けられた前記台形体に配置され、前記第１の斜面に前記第１の開口部が有る場合に、前記第１の開口部の位置とは異なる前記第３の斜面の位置に第１のルーバーを設け、前記第２の斜面に前記第２の開口部が有る場合に、前記第２の開口部の位置とは異なる前記第４の斜面の位置に第２のルーバーを設けたことで、同じく上述した課題を解決した。
【００１４】
また、前記第１の開口部または前記第２の開口部は、少なくとも、前記第１の斜面または前記第２の斜面の一方に所定の間隔で複数個設けられ、前記第１のルーバーは、前記第１の斜面に前記第１の開口部が有る場合に、前記第１の開口部の位置とは異なる位置となるように、前記第３の斜面に複数個設けられ、前記第２のルーバーは、前記第２の斜面に前記第２の開口部が有る場合に、前記第２の開口部の位置とは異なる位置となるように、前記第４の斜面に複数個設けられていることで、同じく上述した課題を解決した。
【００１５】
更に、前記第１の開口部と前記第２の開口部とは、前記第１の斜面と前記第２の斜面とに所定の個数毎に千鳥状に設けられ、前記第１のルーバーと前記第２のルーバーとは、前記第３の斜面と前記第４の斜面とに所定の個数毎に、前記第１の開口部及び前記第２の開口部の位置とは異なる位置となるように交互に千鳥状に設けられていることで、同じく上述した課題を解決した。
【００１６】
また、前記換気カバーは、前記第１の斜面と前記第３の斜面とを接合する第１の接合部と、前記第２の斜面と前記第４の斜面とを接合する第２の接合部とを有し、前記第１の接合部は、前記第１の斜面に略直角に接合され、前記第２の接合部は、前記第２の斜面に略直角に接合され、前記第１の接合部の底辺は、前記第１の斜面の底辺から所定の距離を有し、前記第２の接合部の底辺は、前記第２の斜面の底辺から所定の距離を有する、ことで、同じく上述した課題を解決した。
【００１７】
この他、前記第１の上面には吊子材が突出しており、前記吊子材を挟み、上部が前記第２の上面の下側に接するように形成された中間部材を有する、ことで、同じく上述した課題を解決した。
【００１８】
また、前記第１の上面には吊子材が突出しており、前記吊子材を挟み、上部が前記第２の上面の下側に接するように形成された中間部材を有し、前記第２の上面の上側にソーラーパネルを取り付けるためのレールが取り付けられている、ことで、同じく上述した課題を解決した。
【考案の効果】
【００１９】
本考案によれば、ルーバーは開口部と異なる位置にあるので、折板屋根の台形体の下側に空気の流れを作ることができ、かつ、雨水や雪、霧状の水分が入り込みにくい屋根構造を提供できる。
【００２０】
また、折板屋根の台形体に挟まれた溝に雨水が溜まっても、換気カバーにおける接合部の底辺から、毛細管現象による雨水の浸入を防ぐことができる。
【００２１】
更に、折板屋根に形成された台形体の上面と換気カバーの上面との間に中間部材が挟まれているので、折板屋根及び換気カバーの強度を増すことができる。
【００２２】
また、折板屋根に形成された台形体の上面と換気カバーの上面との間に中間部材が挟まれており、換気カバーの上面にソーラーパネルを取り付けるためのレールを取り付けられるので、ソーラーパネルを取り付けた場合においても、折板屋根及び換気カバーの十分な強度を維持ことができる。
【図面の簡単な説明】
【００２３】
【図１】本考案の第１の実施形態に係る屋根構造の構成を示す斜視図である。
【図２】本考案の第１の実施形態に係る屋根構造の構成を示す断面図である。
【図３】本考案の第２の実施形態に係る屋根構造の構成を示す斜視図である。
【図４】本考案の第３の実施形態に係る屋根構造の構成を示す斜視図である。
【図５】本考案の第３の実施形態に係る屋根構造の構成を示す断面図である。
【図６】本考案の第４の実施形態に係る屋根構造の構成を示す斜視図である。
【図７】本考案の第４の実施形態に係る屋根構造の構成を示す断面図である。
【考案を実施するための形態】
【００２４】
以下に、本考案に係る屋根構造１についての実施形態を、図面を参照して説明する。尚、以下に参照する各図において、他の図と同等部分は、同一符号を付して説明する。
【００２５】
（第１の実施形態）
先ず、第１の実施形態に係る屋根構造１の構成について、図１及び図２を参照して説明する。
【００２６】
図１及び図２に示すように、屋根構造１は、折板屋根１００と換気カバー２００とから構成されている。
【００２７】
折板屋根１００は、断面が略台形状で所定の長さを有する台形体１１０が、適度な間隔を持って複数並置して構成されている。各々の台形体１１０は、第１の上面１１２と、２つの斜面である第１の斜面１１４と第２の斜面１１６とから構成されている。隣り合う台形体１１０において、第１の斜面１１４の底辺と第２の斜面１１６の底辺とは、適度な間隔の幅を有する接続面１１８で接続されている。折板屋根１００は、図示しないタイトフレーム等が螺子等で止められて補強されている。
【００２８】
少なくとも１個以上（図１では２個）の台形体１１０において、第１の開口部１２０と第２の開口部１２２とは、第１の斜面１１４と第２の斜面１１６とにおいて、所定の個数（図１では５個）毎に千鳥状に設けられている。つまり、第１の斜面１１４には、第１の開口部１２０が５個設けられ、第２の斜面１１６には、第２の開口部１２２が５個ずつ２箇所に設けられている。
【００２９】
換気カバー２００は、第１の開口部１２０または第２の開口部１２２が形成されている台形体１１０を、上方から覆うように設置されている。
【００３０】
換気カバー２００は、断面が略台形状で、第２の上面２０２と、２つの斜面である第３の斜面２０４と第４の斜面２０６とから構成されている。また、換気カバー２００は、第１の斜面１１４と第３の斜面２０４とを接合する第１の接合部２１４と、第２の斜面１１６と第４の斜面２０６とを接合する第２の接合部２１６を備えている。そして、台形体１１０と換気カバー２００との間には、所定の間隙が設けられている。
【００３１】
第１の接合部２１４は、第３の斜面２０４の底辺と略直角に接合され、第１の斜面１１４と螺子２２４等で接合するために、更に略直角に折り曲げられている。また、第２の接合部２１６も、第４の斜面２０６の底辺と略直角に接合され、第２の斜面１１６と螺子２２４等で接合するために、更に略直角に折り曲げられている。
【００３２】
第１の接合部２１４の底辺は、第１の斜面１１４の底辺から所定の距離Ｄを有し、第２の接合部２１６の底辺は、第２の斜面１１６の底辺から所定の距離Ｄを有するように接合されている。
【００３３】
所定の距離Ｄは、折板屋根の台形体１１０に挟まれた（第１の斜面１１４と接続面１１８と第２の斜面１１６とで形成された）溝に雨水が溜まっても、換気カバー２００における第１の接合部２１４の底辺及び第２の接合部２１６の底辺から、毛細管現象による雨水の浸入を防げる距離に設定されている。
【００３４】
第１のルーバー２２０と第２のルーバー２２２とは、第３の斜面２０４と第４の斜面２０６とに、所定の個数（図１では３個）毎に、第１の開口部１２０及び第２の開口部１２２の位置とは異なる位置となるように、交互に千鳥状に設けられている。つまり、第３の斜面２０４には、第１のルーバー２２０が３個ずつ２箇所に設けられ、第４の斜面２０６には、第２のルーバー２２２が３個設けられている。
【００３５】
以上に述べた第１の実施形態によれば、以下の効果が得られる。
【００３６】
第１の実施形態では、第１のルーバー２２０は第１の開口部１２０と異なる位置にあり、第２のルーバー２２２は第２の開口部１２２と異なる位置にあるので、折板屋根１００の台形体１１０の下側に空気の流れを作ることができ、かつ、雨水や雪、霧状の水分が入り込みにくい屋根構造１を提供できる。
【００３７】
特に、第１の開口部１２０と第２の開口部１２２とを所定の個数毎に千鳥状に配置し、第１のルーバー２２０と第２のルーバー２２２とを第１の開口部１２０と第２の開口部１２２とに対し交互になるように配置しているので、雨水や雪、霧状の水分の浸入を防ぐことのできる屋根構造１を提供できる。
【００３８】
また、折板屋根１００の台形体１１０に挟まれた溝に雨水が溜まっても、換気カバー２００における第１の接合部２１４の底辺及び第２の接合部２１６の底辺から、毛細管現象による雨水の浸入を防ぐことができる。
【００３９】
更に、第１の接合部２１４及び第２の接合部２１６は、各々第１の斜面１１４及び第２の斜面１１６に対して略直角に形成されているので、換気カバー２００を螺子２２４等で取り付ける作業が容易である。
【００４０】
（第２の実施形態）
次に、第２の実施形態に係る屋根構造１の構成について、図３を参照して説明する。
【００４１】
図３に示すように、台形体１１０の第１の斜面１１４には、第１の開口部１２０が所定の間隔で、複数個（図３では８個）設けられている。また、換気カバー２００の第３の斜面２０４には、９個の第１のルーバー２２０が、第１の開口部１２０の位置とは異なる位置となるように設けられている。
【００４２】
尚、図示していないが、台形体１１０の第２の斜面１１６に、第２の開口部１２２を、第１の開口部１２０と同じ位置となるように設けても良い。この場合、換気カバー２００の第４の斜面２０６に、９個の第２のルーバー２２２が、第２の開口部１２２の位置とは異なる位置となるように設けられることとなる。
【００４３】
以上に述べた第２の実施形態によれば、以下の効果が得られる。
【００４４】
第２の実施形態では、第１のルーバー２２０は第１の開口部１２０と異なる位置にあり、第２のルーバー２２２は第２の開口部１２２と異なる位置にあるので、折板屋根１００の台形体１１０の下側に空気の流れを作ることができ、かつ、雨水や雪、霧状の水分が入り込みにくい屋根構造１を提供できる。この時、第１の開口部１２０、第２の開口部１２２を等間隔に形成しており、第１のルーバー２２０、第２のルーバー２２２も等間隔に形成しているので、屋根構造１の設計及び製造が容易である。
【００４５】
（第３の実施形態）
次に、第３の実施形態に係る屋根構造１の構成について、図４及び図５を参照して説明する。
【００４６】
図４及び図５に示すように、折板屋根１００における台形体１１０の第１の上面１１２には、吊子材２２６が突出している。中間部材２２８は、所定の長さ・幅を有する板材を折曲して、略長方形の枠状に形成されている。また。中間部材２２８は、下側において、若干の隙間を生じるようになっており、対向する底辺の一方が、若干上方を向くように傾斜している。更に、中間部材２２８は、一方の垂設片に、螺子２３０用の孔を備えている。そして、中間部材２２８は、吊子材２２６を挟むように、螺子２３０で複数個所（図４では３箇所）に固定されている。この中間部材２２８の上部は、換気カバー２００における第２の上面２０２の下側に接するように形成されている。
【００４７】
以上に述べた第３の実施形態によれば、以下の効果が得られる。
【００４８】
第３の実施形態では、折板屋根１００に形成された台形体１１０の第１の上面１１２と換気カバー２００の第２の上面２０２との間に中間部材２２８が挟まれているので、折板屋根１００及び換気カバー２００の強度を増すことができる。
【００４９】
（第４の実施形態）
次に、第４の実施形態に係る屋根構造の構成について、図６及び図７を参照して説明する。
【００５０】
図６及び図７に示すように、折板屋根１００における台形体１１０の第１の上面１１２には、吊子材２２６が突出している。中間部材２２８は、吊子材２２６を挟むように設置されている。中間部材２２８の上部は、換気カバー２００における第２の上面２０２の下側に接するように形成されている。
【００５１】
換気カバー２００における第２の上面２０２の上側には、ソーラーパネル２４０を取り付けるためのレール２３２が螺子２３４等で固定されている。図６では、２個の換気カバー２００における第２の上面２０２の上側にレール２３２が取り付けられ、２個のレール２３２に複数の横レール２３６が取り付けられ、複数のソーラーパネル２４０が取り付けられている。
【００５２】
以上に述べた第４の実施形態によれば、以下の効果が得られる。
【００５３】
第４の実施形態では、折板屋根１００に形成された台形体１１０の第１の上面１１２と換気カバー２００の第２の上面２０２との間に中間部材２２８が挟まれており、換気カバー２００の第２の上面２０２にソーラーパネル２４０を取り付けるためのレール２３２を取り付けられるので、ソーラーパネル２４０を取り付けても、折板屋根１００及び換気カバー２００の十分な強度を維持することができる。
【００５４】
尚、本考案の範囲は、図示され記載された例示的な実施形態に限定されるものではなく、本考案が目的とするものと均等な効果をもたらす全ての実施形態をも含むものである。更に、本考案の範囲は、請求項により画される考案の特徴の組み合わせに限定されるものではなく、すべての開示されたそれぞれの特徴のうち、特定の特徴のあらゆる所望する組み合わせによって画され得るものである。
【産業上の利用可能性】
【００５５】
本考案は、換気を施す必要がある折板屋根に広く利用することができる。
【符号の説明】
【００５６】
１  屋根構造
１００  折板屋根
１１０  台形体
１１２  第１の上面
１１４  第１の斜面
１１６  第２の斜面
１１８  接続面
１２０  第１の開口部
１２２  第２の開口部
２００  換気カバー
２０２  第２の上面
２０４  第３の斜面
２０６  第４の斜面
２１４  第１の接合部
２１６  第２の接合部
２２０  第１のルーバー
２２２  第２のルーバー
２２４  螺子
２２６  吊子材
２２８  中間部材
２３０  螺子
２３２  レール
２３４  螺子
２３６  横レール
２４０  ソーラーパネル
【図１】
0003184241.tif 000003
【図２】
0003184241.tif 000004
【図３】
0003184241.tif 000005
【図４】
0003184241.tif 000006
【図５】
0003184241.tif 000007
【図６】
0003184241.tif 000008
【図７】
0003184241.tif 000009